(57)【要約】【課題】新品への交換時期又は内容物の詰め替え時期を、内容物が枯渇する前に予め予測することができるとともに、その場ですぐに使用を再開することも可能なポンプ機構付き液体貯蔵容器を提供する。【解決手段】従来の仕様よりも短く切った吸い上げ管（１）に、可動式の延長部品（２）を装着して伸縮自在にすることにより、吸い上げ口（３）と容器底部（４）との間隔が調節可能であることを特徴とする。【選択図】  図１
2004238076.tif 000002
【特許請求の範囲】
【請求項１】
内部の液体を排出するためのポンプ機構を備えた容器において、吸い上げ管（１）に可動式の延長部品（２）を装着して伸縮自在にすることにより、吸い上げ口（３）と容器底部（４）との間隔が調節可能であることを特徴とするポンプ機構付き液体貯蔵容器。
【請求項２】
内部の液体を排出するためのポンプ機構を備えた容器において、吸い上げ管（１）とポンプ部（５）との間に、可動式の延長部品（２）を装着して伸縮自在にすることにより、吸い上げ口（３）と容器底部（４）との間隔が調節可能であることを特徴とするポンプ機構付き液体貯蔵容器。
【請求項３】
内部の液体を排出するためのポンプ機構を備えた容器において、吸い上げ管（１）とポンプ部（５）との接合部（６）に、伸縮自在な構造を用いることにより、吸い上げ口（３）と容器底部（４）との間隔が調節可能であることを特徴とするポンプ機構付き液体貯蔵容器。
【請求項４】
内部の液体を排出するためのポンプ機構を備えた容器において、吸い上げ管（１）に、少なくとも一つ以上の吸い上げ口兼空気取り込み口（７）を設けて、これを開閉するための蓋（８）を装着したことを特徴とするポンプ機構付き液体貯蔵容器。
【発明の詳細な説明】
【０００１】
【発明の属する技術分野】
本発明は、吸い上げ口と容器底部との間隔を調節することにより、内容物の段階的な排出を行うことができるポンプ機構付き液体貯蔵容器に関するものである。
【０００２】
【従来の技術】
従来のシャンプー、リンス及びボディーシャンプー等の容器に使用されているポンプ機構の吸い上げ管は、一本の管だけで構成されていたため、その長さは固定的なものであり、ゆえにその吸い上げ口は容器底部に近接した位置に固定されたものであった。
【０００３】
【発明が解決しようとする課題】
従来のシャンプー、リンス及びボディーシャンプー等の容器には、不透明な物を用いていることが多いため、容器内残存量の把握が困難であるのに、吸い上げ口が容器底部に近接した位置に固定されているという構造上の理由から、ポンプが内容物を排出しなくなったときには、容器内はほとんど空の状態になっているという問題点があった。
【０００４】
この場合、続けて使用するためには、すぐに新品に交換するか又は中身を入れ替える必要があるが、内容物がシャンプー、リンス及びボディーシャンプー等の場合、使用者がそのことに気付くのは、自身の体が濡れている入浴中が多いため、浴室から出てそれらの作業をすることはとても面倒なものであった。
【０００５】
本発明においては上記の問題点に鑑み、新品への交換時期又は内容物の詰め替え時期を、内容物が枯渇する前に予め予測することができるとともに、その場ですぐに使用を再開することも可能なポンプ機構付き液体貯蔵容器を提供することを目的としている。
【０００６】
【課題を解決するための手段】
上記目的は、吸い上げ管やポンプ部に、可動式の延長部品を装着して伸縮自在にすることにより、吸い上げ口と容器底部との間隔を調節したり、吸い上げ管下部に吸い上げ口兼空気取り込み口を設けて、これを開閉するための蓋を装着することにより、実質的な吸い上げ口の位置を上下方向に移動・固定できるようにしたりすることによって、内容物の段階的な排出を行うことできるポンプ機構付き液体貯蔵容器を提供することで達成される。
【０００７】
【発明の実施の形態】
本発明を構成する最大の特徴は、吸い上げ口の位置を上下方向に調節可能なものにすることにより、内容物を段階的に排出できるようになった点にある。以下、発明の実施の形態を実施例にもとづき図面を参照して説明する。
【０００８】
図１及び図２に示される実施例では、吸い上げ管（１）が、その長さを変えることができるように、主に２つの部分で構成されている。なお、吸い上げ管（１）本体は、従来のものよりも短くカットされているため、初期の段階では吸い上げ口（３）と容器底部（４）との間隔は大きくあいた状態になっている。突起部（９）を指で挟んで持ち、それを下方向に引いたり回したりすることにより、延長部品（２）が移動して吸い上げ管（１）が延長され、従来のように吸い上げ口（３）が容器底部（４）に近接する位置にまで届くようになる。
【０００９】
図３及び図４に示される実施例では、吸い上げ管（１）とポンプ部（５）との間に、可動式の延長部品（２）を装着してある。吸い上げ口（３）と容器底部（４）との間隔は、上記と同様に大きくあいた状態になっていて、突起部（９）を指で挟んで持ち、それを下方向に引いたり回したりすることにより、ポンプ部（５）に重なっていた部分が引き出されて、吸い上げ口（３）が容器底部（４）に近接する位置にまで届くようになる。
【００１０】
図５に示される実施例では、吸い上げ管（１）とポンプ部（５）との接合部（６）は、接着はされておらず、それぞれに直接加工を施して組み合わせることにより、伸縮可能な構造を形成している。突起部（９）を指で挟んで持ち、それを下方向に引いたり回したりすることで、接合部（６）に重なっていた部分が引き出されて、吸い上げ口（３）が容器底部（４）に近接する位置にまで届くようになる。
【００１１】
図６に示される実施例では、吸い上げ管（１）の下部に穴を開けて、吸い上げ口兼空気取り込み口（７）とし、この部分を開閉するための蓋（８）を吸い上げ管（１）に取り付けてある。吸い上げ口兼空気取り込み口（７）は、図７のように切り込みを用いてもよい。また、吸い上げ口兼空気取り込み口（７）を開閉するための蓋（８）の役割を果たす部品は、図６及び図７のように縦方向にスライドするものでもよいし、図８のように横方向に回転するものでもよい。なお、吸い上げ口兼空気取り込み口は、図６及び図７のように吸い上げ管に直接設ける方法だけでなく、別に製作されたものを吸い上げ管下部に装着する方法を用いてもよい。
【００１２】
上記記載の延長部品（２）及び蓋（８）には、吸い上げ管（１）を挟んで固定するタイプのものを用いてもよいし、吸い上げ管（１）と口径が違う管を組み合わせただけの簡易なものを用いてもよい。また、各可動部分の構造には、図２、図４及び図５のように凹凸を組み合わせたものだけでなく、ネジ機構、図９のように凸面と平面を組み合わせたもの、又はこれらを組み合わせたものを用いてもよい。
【００１３】
図１や図３のように、吸い上げ口（３）と容器底部（４）との間隔を予め広めに空けておくことで、吸い上げ口（３）に達する位置にまで内容物が減少すると、内容物がまだ容器内に残っていてもポンプはこれを排出できなくなる。図６、図７及び図８の場合も同様に、吸い上げ口兼空気取り込み口（７）に達する位置にまで内容物が減少すると、ポンプはこれを排出することはできなくなる。これにより、使用者は容器内残存量があと僅かだということを知ることができる。
【００１５】
さらに、延長部品（２）を動かして吸い上げ管を延長したり、吸い上げ口兼空気取り込み口（７）を閉じたりすることによって、内容物の詰め替えをすることなく、すぐに使用を再開することが可能であり、最後まで使い切ることもできる。この作業中は、容器内に水が混入しないように十分注意する必要がある。そして、このときの容器内残存量をポンプ一回分の排出量で割れば、あと何回くらいポンプでの排出が可能かおおおよそ分かるため、その回数を容器に表示しておけば、新品への交換時期や内容物の詰め替え時期の目安となる。
【００１６】
また、内容物を詰め替える際に、吸い上げ口（３）と容器底部（４）との間隔や、吸い上げ口兼空気取り込み口（７）を閉じている蓋（８）を、使用開始時の状態に戻すことで、次回も同様の効果をもたらすことができる。
【００１７】
【発明の効果】
本発明は、以上説明したように構成されているので、以下に記載されるような効果を奏する。
【００１８】
吸い上げ口と容器底部との間隔を、従来よりも広く空けておくことにより、内容物が枯渇する前に、その残存量を把握することができるので、新品への交換時期や内容物の詰め替え時期を予め予測することが可能となった。
【００１９】
そして、吸い上げ口と容器底部との間隔を狭く調節することにより、容器内に残っている内容物も、すぐに使用を再開することができるので、それを使い切るまでの間に新品を用意するか、又は内容物を入れ替えればよいため、非常に便利である。
【００２０】
さらに、ポンプの排出量は毎回ほぼ一定であるので、吸い上げ口と容器底部との間隔を狭く調節した後、何回くらいポンプが内容物を排出できるのかを予め計測しておき、それを製品に目安として表示することにより、使用者は余裕を持って新品への交換や内容物の詰め替えを行うことができる。
【図面の簡単な説明】
【図１】本発明に係るポンプ機構付き液体貯蔵容器の好適な実施例を示す部分断面図である。
【図２】吸い上げ管に延長部品を装着した実施例を示す縦断面図である。
【図３】本発明に係るポンプ機構付き液体貯蔵容器の別の一例を示す部分断面図である。
【図４】吸い上げ管とポンプ部の間に延長部品を装着した実施例を示す縦断面図である。
【図５】吸い上げ管とポンプ部との接合部分に伸縮自在な構造を用いた実施例を示す縦断面図である。
【図６】本発明に係るポンプ機構付き液体貯蔵容器の別の一例を示す部分断面図である。
【図７】吸い上げ口兼空気取り込み口の別の一例を示す部分断面図である。
【図８】蓋の役割を果たす部品が横方向に回転をして閉じた状態を示す側面図である。
【図９】吸い上げ管に延長部品を装着した別の一例を示す縦断面図である。
【符号の説明】
１  吸い上げ管
２  延長部品
３  吸い上げ口
４  容器底部
５  ポンプ部
６  接合部
７  吸い上げ口兼空気取り込み口
８  蓋
９  突起部
１０  穴
【図１】
2004238076.tif 000003
【図２】
2004238076.tif 000004
【図３】
2004238076.tif 000005
【図４】
2004238076.tif 000006
【図５】
2004238076.tif 000007
【図６】
2004238076.tif 000008
【図７】
2004238076.tif 000009
【図８】
2004238076.tif 000010
【図９】
2004238076.tif 000011